(57)【要約】【課題】荷扱い者２３が小荷物専用昇降機の設置場所から離れた所にいても、かご４の到着を知らせることができる小荷物専用昇降機の到着通報装置を得る。【解決手段】かご４が階床１１に到着すると、到着した階床１１毎に固有の到着信号ｆｎを送信機２１から無線で送信させ、各階床１１の荷扱い者２３に携帯受信機２４を携帯させて携帯使用される階床１１に固有の到着信号ｆｎを選択して受信させるようにし、この携帯受信機２４で受信された到着信号ｆｎによって報知手段４６を作動させてかご４の到着を報知するようにしたものである。【選択図】        図１
2004189471.tif 000002
【特許請求の範囲】
【請求項１】
かごが階床に到着すると、到着した上記階床毎に固有の到着信号を無線で送信する送信機と、上記階床で携帯されて携帯される上記階床に固有の上記到着信号を選択して受信する携帯受信機と、この携帯受信機で受信された上記到着信号によって作動して上記階床へ上記かごが到着したことを報知する報知手段とからなる小荷物専用昇降機の到着通報装置。
【請求項２】
送信機からの無線信号を中継する中継機を小荷物専用昇降機のかご上に設け、上記送信機は上記かごが昇降する昇降路の最上部に取り付けられて上記かごが階床に到着すると上記中継機へ向けて上記階床毎に固有の到着信号を無線で送信するものとし、携帯受信機は携帯される上記階床に固有の上記到着信号を上記中継機を介して選択して受信するものとした請求項１に記載の小荷物専用昇降機の到着通報装置。
【請求項３】
送信機は各階床毎に設けられ、かごが上記階床に到着すると、到着した上記階床に固有の到着信号を無線で送信するものとした請求項１に記載の小荷物専用昇降機の到着通報装置。
【請求項４】
携帯受信機は、受信する到着信号を選択する選択スイッチを具備し、この選択スイッチによって選択された到着信号を受信するものとした請求項１に記載の小荷物専用昇降機の到着通報装置。
【請求項５】
送信機は、到着した階床に固有の到着信号に加えて到着した上記階床に設けられた昇降路の開口を開閉する乗場戸の戸開信号を無線で送信するものとし、携帯受信機は、携帯される上記階床に固有の上記到着信号と上記戸開信号の双方を受信するものとし、報知手段は、受信された上記到着信号によって作動してかごの到着を報知し、上記戸開信号によって上記報知を停止するものとした請求項１に記載の小荷物専用昇降機の到着通報装置。
【発明の詳細な説明】
【０００１】
【発明の属する技術分野】
この発明は、小荷物専用昇降機のかごが階床に到着したことを報知する到着通報装置に係るものである。
【０００２】
【従来の技術】
小荷物専用昇降機は、厨房室から食堂階へ料理を運搬する配膳用等、小荷物の搬送を目的とする輸送手段であり、荷扱い者はかごには乗り込まない。このため、かごが目的階に到着すると、その階の荷扱い者に到着したことを報知するために到着通報装置が設けられている。
従来の小荷物専用昇降機の到着通報装置は、搬送物をかごへ積み卸しする開口付近に到着ブザーや到着灯を設けておいて、例えば、発明協会公開技報の公技番号８９−８５７２号に開示されているように、かごが目的階に到着すると到着ブザーを鳴動させ、到着灯を点灯させて荷扱い者に到着を知らせる。ホールドアが開くと到着ブザーの鳴動を停止させるようにしていた。
【０００３】
【発明が解決しようとする課題】
従来の小荷物専用昇降機の到着通報装置は上記のとおり構成されているので、小荷物専用昇降機の設置場所から荷扱い者まで離れている場合は報知が届かず、かごが既に到着しているにも拘らず、長時間放置されることがあった。
このため、小荷物専用昇降機の稼動率が低下する、という問題があった。
また、搬送物が料理の場合は顧客を不必要に待たす、という問題もあった。
【０００４】
この発明は、上記問題点を解決するためになされたものであり、荷扱い者が小荷物専用昇降機の設置場所から離れた所にいても、かごの到着を知らせることができる小荷物専用昇降機の到着通報装置を提供することを目的とする。
【０００５】
【課題を解決するための手段】
この発明に係る請求項１に記載の小荷物専用昇降機の到着通報装置は、かごが階床に到着すると、到着した階床毎に固有の到着信号を送信機から無線で送信させ、各階床の荷扱い者に携帯受信機を携帯させて携帯使用される階床に固有の到着信号を選択して受信させるようにし、この携帯受信機で受信された到着信号によって報知手段を作動させてかごの到着を報知するようにしたものである。
【０００６】
この発明に係る請求項２に記載の小荷物専用昇降機の到着通報装置は、送信機からの無線信号を中継する中継機を小荷物専用昇降機のかご上に設け、かごが昇降する昇降路の最上部に送信機を取り付けてかごが階床に到着すると中継機へ向けて到着した階床に固有の到着信号を無線で送信させるようにし、携帯受信機は中継機から送信される到着信号のうち、携帯使用される階床に係る到着信号を受信して報知手段を作動させるようにしたものである。
【０００７】
この発明に係る請求項３に記載の小荷物専用昇降機の到着通報装置は、請求項１において、送信機を各階床毎に設け、かごが階床に到着すると、到着した階床に固有の到着信号を無線で送信させるようにしたものである。
【０００８】
この発明に係る請求項４に記載の小荷物専用昇降機の到着通報装置は、請求項１において、受信する到着信号を選択する選択スイッチを携帯受信機に設けて選択された到着信号のみを受信させるようにしたものである。
【０００９】
この発明に係る請求項５に記載の小荷物専用昇降機の到着通報装置は、請求項１において、到着した階床に固有の到着信号に加えて到着した階床の乗場戸の戸開信号を無線で送信機から送信させ、携帯受信機は自己が携帯使用される階床の到着信号と戸開信号の双方を受信し、受信した到着信号によって報知手段を作動させてかごの到着を報知し、戸開信号によって報知を停止させるようにしたものである。
【００１０】
【発明の実施の形態】
実施の形態１．
図１から図６は、この発明の実施の形態１を示す。
図１は、昇降路の縦断面図で、１は昇降路、２は昇降路天井、３は機械室、４はかご、５はかご４に積み込まれた搬送物、６はかご４の側部に取り付けられたカムである。
【００１１】
１１は階床を示し、末尾の符号は階床数を示す。即ち、−Ｂは地階、−１は１階、−４は４階を示し、以下同様とする。なお、この実施の形態１では、地階１１−Ｂを厨房とし、地上階１１−１から１１−４を食堂とする。１２は各階床１１に設けられた昇降路１の開口、１３は各開口１２を開閉する乗場戸、１３ａは各乗場戸１３の開閉を検出する戸スイッチ、１４は各階床１１毎に設けられてかご４が到着すると、カム６によって作動してかご４の到着を検出する階床イスッチ、１５は各開口１２付近の乗場に設けられた操作盤、１６はかご４を昇降駆動する巻上機、１７はかご４の昇降を制御する制御盤である。
【００１２】
２１はかご４が階床１１に到着すると、到着した階床１１毎に固有の到着信号ｆｎを無線で送信する送信機で、昇降路天井２に取り付けられて下方へ向けてレーザビーム２１ａを照射して送信する。また、到着信号ｆｎは、階床スイッチ１４が閉成し、かつ、かご４の停止によって発せられるものとする。２２はかご４上に設けられて送信機２１からの無線信号を中継する中継機、２３は荷扱い者である各階１１の給仕、２４は各給仕に携帯されて携帯される階床１１に固有の到着信号ｆｎを選択して受信する携帯受信機である。
【００１３】
図２は、操作盤１５の正面図で、特に１階１１−１の乗場に設けられたものを示す。
図中、図１と同符号は同一部分を示し、３１は操作盤１５の設置された階床１１へかご４を呼び寄せる呼び釦、３２はかご４が到着すると点灯する到着灯で、ここでは、階床スイッチ１４が閉成し、かつ、かご４の停止によって点灯するものとする。３３は行先階釦で、他階１１へかご４を送る場合に操作される。３４はかご４が到着すると鳴動するブザーで、到着灯３２と同様に階床スイッチ１４が閉成し、かつ、かご４の停止によって鳴動し、戸スイッチ１３ａの開放によって鳴動を停止するものである。
【００１４】
図３は、携帯受信機２４の正面図である。図中、図１及び図２と同符号は同一部分を示す。なお、携帯受信機２４は各階床１１の給仕２３に携帯されるもので、予め定められた到着信号ｆｎのみを受信する。従って、携帯使用される階床１１は固定され、他の階床１１では使用できない。
４１はアンテナ、４２は受信された到着信号ｆｎによって作動して階床１１へかご４が到着したことを知らせる到着灯、４３はかご４の到着を音で知らせるブザー、４４はかご４の到着を振動で伝えるバイブレータ、４５は到着灯４２を消灯させ、かつ、ブザー４３及びバイブレータ４４を停止させるリセット釦である。なお、到着灯４２、ブザー４３及びバイブレータ４４は、かご４の到着を知らせる報知器として機能するものである。
【００１５】
図４は、到着通報装置の電気回路を示すブロック図で、図中、図１から図３と同符号は同一部分を示す。
５１はＣＰＵ、５２はかご４の昇降を制御するプログラムが記録されたＲＯＭ、到着信号ｆｎを発生させる通報制御部５２ｂからなっている。５３は一時的なデータが記録されるＲＡＭ、５４は階床１１と到着信号ｆｎとの対応が記録された報知信号ファイルで、地階１１−Ｂから４階１１−４までそれぞれ到着信号ｆ１から到着信号ｆ５が個別に対応する。５５は外部装置からの信号が入力される入力回路、５６は外部装置へ信号が出力される出力回路である。
【００１６】
図５は、かご４の昇降動作を示す流れ図である。手順Ｓ１１で、かご４を到着させるための操作がなされる。即ち、他階床１１の行先階釦３３が押されてかご４が送られて来た場合、又は呼び釦３１を押してかご４を呼び寄せた場合である。手順Ｓ１２で、かご４が到着すると、到着階１１の階床スイッチ１４が閉成する。
更にかご４が停止すると、手順Ｓ１３で報知信号ファイル５４から到着階１１に対応する到着信号ｆｎを選択して制御盤１７から送信機２１へ送信される。
【００１７】
手順Ｓ１４で到着階１１の操作盤１５の到着灯３２が点灯し、ブザー３４が鳴動する。手順Ｓ１５で、到着階１１の乗場戸１３を開けると、戸スイッチ１３ａが開放される。手順Ｓ１６でブザー３４が停止する。手順Ｓ１７でかご４へ搬送物５の積み卸しが行われる。積み卸しが終ると、手順Ｓ１８で乗場戸１３を閉じる。戸閉めによって戸スイッチ１３ａが閉成する。
【００１８】
手順Ｓ１９で、かご４が停止した階床１１の操作盤１５の行先階釦３３が操作されると、手順Ｓ２０へ移り、かご４は行先階１１へ向けて起動する。この起動によって到着灯３２は消灯する。手順Ｓ１９で、行先階釦３３が操作されなかった場合は手順Ｓ２１へ移る。ここで他階１１の操作盤１５の呼び釦３１が操作されると、手順Ｓ２０へ移り、その呼び釦３１に応答してかご４は起動し、この起動によって到着灯３２は消灯する。手順Ｓ２１で、他階１１の操作盤１５の呼び釦３１が操作されなかった場合、手順Ｓ２２で、かご４は到着灯３２を点灯させたままその階床１１で待機する。以上が昇降動作である。
【００１９】
手順Ｓ１３で、到着信号ｆｎが制御盤１７から送信機２１へ送信されると、手順Ｓ２３で、送信機２１から中継機２２へ送信される。更に、手順Ｓ２４で、中継機２２から携帯受信機２４へ送信され、図６に示す報知動作が開始される。
【００２０】
図６に従って、携帯受信機２４の報知動作について説明する。この動作、一定周期で発生する割込み信号により開始される。
手順Ｓ３１で、到着階１１の携帯受信機２４が到着信号ｆｎを受信すると、手順Ｓ３２に移り、その到着信号ｆｎが携帯受信機２４の携帯される階床１１に固有の到着信号ｆｎであるか調べる。固有の到着信号ｆｎの場合は手順Ｓ３３へ移り、かご４が到着した階床１１の携帯受信機２４の到着灯４２、ブザー４３及びバイブレータ４４を作動させる。つまり、報知器４６を作動させる。手順Ｓ３４で、リセット釦４５が未だ操作されない場合は、この周期での処理は終了する。
【００２１】
手順Ｓ３１で到着信号ｆｎが受信されない場合、又は、手順Ｓ３１で受信されたけれども携帯受信機２４が携帯される階床１１に固有の到着信号ｆｎではなかった場合は手順Ｓ３２を介して手順Ｓ３４へ移る。ここで、リセット釦４５が操作された場合は、手順Ｓ３５へ移り、到着階１１の携帯受信機２４の到着灯４２、ブザー４３及びバイブレータ４４を停止させて処理を終る。
【００２２】
上記実施の形態１によれば、かご４が到着すると、到着階１１に固有の到着信号ｆｎが発せられ、この到着信号ｆｎを携帯受信機２４が受信して到着灯４２を点灯させ、ブザー４３及びバイブレータ４４を作動させるので、荷扱い者２３は携帯受信機２４を携帯することにより、小荷物専用昇降機の設置場所から離れた所にいても、かご４の到着を知ることができる。このため、搬送物５を速やかに搬送することができる。
【００２３】
また、携帯受信機２４に設置のリセット釦４５は、携帯受信機２４に組み込まれた到着灯４２、ブザー４３及びバイブレータ４４のリセットに限られ、操作盤１５のブザー３４は鳴動し続けるので、携帯受信機２４のリセット釦４５を操作しただけで、荷扱い者２３が搬送物５の積み卸しをしなかった場合でも、搬送物が放置されたままになることはない。
【００２４】
更に、携帯受信機２４は、携帯される階床１１に固有の到着信号ｆｎを選択して受信するので、他階１１の到着信号ｆｎを受信することはない。
更にまた、送信機２１からの到着信号ｆｎをかご４上の中継機２１を介して各階床１１へ送信するようにしたので、送信機２１は１組でよく、安価である。
【００２５】
実施の形態２．
この実施の形態２は、送信機から送信される到着信号の内から携帯受信機が受信すべき到着信号を選択できるようにしたものである。
図７から図９は、この発明の実施の形態２を示す。図中、図１から図６と同符号は同一部分を示す。
図７において、携帯受信機２４は選択スイッチ４７を具備しており、受信する到着信号ｆｎを選択するようになっている。即ち、地階１１−Ｂで携帯される場合は選択スイッチ４７を「Ｂ」にセットして到着信号ｆ１を受信するようにし、４階１１−４で携帯される場合は「４」にセットして到着信号ｆ５を受信するようにする。
【００２６】
図８は電気回路を示すブロック図である。制御盤１７には、報知信号ファイル５４Ａが設けられていて、到着信号ｆｎに加えて戸開信号ｆｏも記録されている。かご４が到着すると到着信号ｆｎが送信され、乗場戸１３が開いて戸スイッチ１３ａが開放されると、戸開信号ｆｏが送信される。
携帯受信機２４では、受信した信号を分波器４８で各到着信号ｆ１〜ｆ５と、戸開信号ｆｏに分離する。到着信号ｆｎが選択スイッチ４７で選択されたものである場合は報知器４６を作動させる。選択された到着信号ｆｎではない場合は報知器４６は作動しない。
また、乗場戸１３が開いて戸開信号ｆｏが送信されると、分波器４８で分離されてリセット回路４９を作動させ、先に受信された到着信号ｆｎによって作動している報知器４６を停止させる。即ち、報知器４６はリセット釦４５の操作に加えて戸開信号ｆｏによっても停止する。
【００２７】
次に、図９に従って携帯受信機２４の動作を説明する。この動作は一定周期で発生する割込み信号により開始される。
手順Ｓ４１において、分波器４８で受信信号を各到着信号ｆ１〜ｆ５と戸開信号ｆｏに分離する。手順Ｓ４２で到着信号ｆｎが受信されると手順Ｓ４３へ移り、到着信号ｆｎが選択スイッチ４７で選択された到着信号に等しい場合は、更に手順Ｓ４４へ移って、携帯受信機２４の到着灯４２、ブザー４３及びバイブレータ４４からなる報知器４６を作動させる。戸開信号ｆｏが受信されず、また、リセット釦４５も操作されない場合は、手順Ｓ４５、Ｓ４８を経てこの周期の処理を終る。
【００２８】
手順Ｓ４２で到着信号ｆｎが受信されなかった場合、又は手順Ｓ４３で到着信号ｆｎは受信されたが選択スイッチ４７で選択された到着信号と異なる場合は、いずれも手順Ｓ４５へ移る。ここで、戸開信号ｆｏが受信された場合は、手順Ｓ４５から手順Ｓ４６へ移り、リセット回路４９を作動させ、手順Ｓ４７で報知器４６を停止させて処理を終る。
手順Ｓ４５で戸開信号ｆ０が受信されなかった場合は、手順Ｓ４８へ移り、リセット釦４５が操作されたか調べる。操作された場合は、手順Ｓ４７へ移り報知器４６を停止させて処理を終る。
【００２９】
上記実施の形態２によれば、携帯受信機２４は選択スイッチ４７によって選択された到着信号ｆｎを受信するので、携帯される階床１１には無関係に製作することができ、量産が可能となる。
また、携帯受信機２４の使用階床１１を他の階床１１へ変更する必要が生じた場合は、選択スイッチ４７を新たな階床１１に合せて設定することにより、その階床１１に固有の到着信号ｆｎを受信することができるので、情況変化に容易に対応することができる。
更に、報知器４６はリセット釦４５の操作に加えて戸開信号ｆｏによっても停止するので、到着信号ｆｎに対して無用な重複応動を回避することができる。
【００３０】
なお、上記各実施の形態では、到着信号ｆｎ及び戸開信号ｆｏは、いずれも昇降路天井２に取り付けられた発信機２１から中継機２２を介して送信されるものとしたが、これに限られるものではなく、送信機２１を図１に示す各階床１１の操作盤１５に組み込んで、到着信号ｆｎ又は戸開信号ｆｏが発せられる毎に全階床１１へ向けて送信するようにしてもよい。これにより、到着信号ｆｎ及び戸開信号ｆｏをより的確に受信することができる。
また、送信機２１を各階床１１に設けられた操作盤１５に組み込んで、到着信号ｆｎに関係する階床１１の送信機２１のみを作動させて上記到着信号ｆｎを送信させるようにしてもよい。これにより、無用な到着信号ｆｎの送信を避けることができる。
【００３１】
【発明の効果】
この発明は上記のとおり構成されているので、以下の効果を奏する。
この発明に係る請求項１に記載の小荷物専用昇降機の到着通報装置は、かごが階床に到着すると、到着した階床毎に固有の到着信号を送信機から無線で送信させ、各階床の荷扱い者に携帯受信機を携帯させて携帯使用される階床に固有の到着信号を選択して受信させるようにし、この携帯受信機で受信された到着信号によって報知手段を作動させてかごの到着を報知するようにしたものである。
このため、荷扱い者は小荷物専用昇降機の設置場所から離れた所にいても、かごの到着を知ることができ、搬送物を速やかに搬送することができる、という効果を奏する。
【００３２】
この発明に係る請求項２に記載の小荷物専用昇降機の到着通報装置は、送信機からの無線信号を中継する中継機を小荷物専用昇降機のかご上に設け、かごが昇降する昇降路の最上部に送信機を取り付けてかごが階床に到着すると中継機へ向けて到着した階床に固有の到着信号を無線で送信させるようにし、携帯受信機は中継機から送信される到着信号のうち、携帯使用される階床に係る到着信号を受信して報知手段を作動させるようにしたものである。
このため、送信機は１組でよく、安価である、という効果を奏する。
【００３３】
この発明に係る請求項３に記載の小荷物専用昇降機の到着通報装置は、請求項１において、送信機を各階床毎に設け、かごが階床に到着すると、到着した階床に固有の到着信号を無線で送信させるようにしたものである。
このため、到着信号をより的確に受信することができる、という効果を奏する。
【００３４】
この発明に係る請求項４に記載の小荷物専用昇降機の到着通報装置は、請求項１において、受信する到着信号を選択する選択スイッチを携帯受信機に設けて選択された到着信号のみを受信させるようにしたものである。
このため、携帯受信機の使用階床を他の階床へ変更する必要が生じた場合は、選択スイッチを新たな階床に合せて設定することにより、その階床に固有の到着信号を受信することができるので、情況変化に容易に対応することができる、という効果を奏する。
【００３５】
この発明に係る請求項５に記載の小荷物専用昇降機の到着通報装置は、請求項１において、到着した階床に固有の到着信号に加えて到着した階床の乗場戸の戸開信号を無線で送信機から送信させ、携帯受信機は自己が携帯使用される階床の到着信号と戸開信号の双方を受信し、受信した到着信号によって報知手段を作動させてかごの到着を報知し、戸開信号によって報知を停止させようとしたものである。
このため、到着信号に対して無用な重複応動を回避することができる、という効果を奏する。
【図面の簡単な説明】
【図１】この発明の実施の形態１における小荷物専用昇降機の到着通報装置が取り付けられた昇降路の縦断面図。
【図２】この発明の実施の形態１における操作盤１５の正面図。
【図３】この発明の実施の形態１における携帯受信機２４の正面図。
【図４】この発明の実施の形態１における小荷物専用昇降機の到着通報装置の電気回路を示すブロック図。
【図５】この発明の実施の形態１における小荷物専用昇降機の昇降動作を示す流れ図。
【図６】この発明の実施の形態１における携帯受信機２４の報知動作を示す流れ図。
【図７】この発明の実施の形態２における携帯受信機２４の正面図。
【図８】この発明の実施の形態２における小荷物専用昇降機の到着通報装置の電気回路を示すブロック図。
【図９】この発明の実施の形態２における携帯受信機２４の報知動作を示す流れ図。
【符号の説明】
１  昇降路、  ２  昇降路天井、  ３  機械室、  ４  かご、  ５  搬送物、６  カム、  １１  階床、  １２  開口、  １３  乗場戸、  １３ａ  戸スイッチ、  １４  階床スイッチ、  １５  操作盤、  １６  巻上機、  １７  制御盤、  ２１  送信機、  ２１ａ  レーザビーム  ２２  中継機、  ２３  給仕、２４  携帯受信機、  ３１  呼び釦、  ３２  到着灯、  ３３  行先階釦、  ３４  ブザー、  ４１  アンテナ、  ４２  到着灯、  ４３  ブザー、  ４４  バイブレータ、  ４５  リセット釦、  ４６  報知器、  ４７  選択スイッチ、４８  分波器、  ５４  報知信号ファイル、  ｆｎ  到着信号、  ｆｏ  戸開信号。
【図１】
2004189471.tif 000003
【図２】
2004189471.tif 000004
【図３】
2004189471.tif 000005
【図４】
2004189471.tif 000006
【図５】
2004189471.tif 000007
【図６】
2004189471.tif 000008
【図７】
2004189471.tif 000009
【図８】
2004189471.tif 000010
【図９】
2004189471.tif 000011